(57)【要約】【課題】ＡＶコンテンツから文字情報を抽出し映像に相応しい文字情報に変換して映像と重畳して画面に映し出し、臨場感あふれる視聴を可能とすること。【解決手段】映像情報、音声情報、文字情報等を含むＡＶコンテンツを処理し、文字情報を表示できる映像表示システムにおいて、ＡＶコンテンツから各種情報を抽出、処理して画像出力と音声出力を行う文字情報抽出／出力装置１０と、抽出された文字情報に画像変換処理を行うデータ変換サーバ１００と、を備え、文字情報抽出／出力装置１０は、文字情報を抽出する抽出手段１８と抽出された文字情報をデータ変換サーバに送信する送信手段１９とデータ変換サーバ１００から送信されてきた画像と映像情報とを合成する合成手段２４とを有し、データ変換サーバ１００は、文字情報受信手段１０１により受信された文字情報を番組情報に対応する画像に変換する画像変換手段１０３を有すること。【選択図】図１
2006211120.tif 000002
【特許請求の範囲】
【請求項１】
映像情報、音声情報、文字情報、番組情報を含むＡＶコンテンツを処理し、前記文字情報を表示できる映像表示システムにおいて、
前記ＡＶコンテンツから各種情報を抽出、処理して画像出力と音声出力を行う文字情報抽出／出力装置と、前記文字情報抽出／出力装置で抽出された文字情報に画像変換処理を行うデータ変換サーバと、を備え、
前記文字情報抽出／出力装置は、前記ＡＶコンテンツから文字情報を抽出する文字情報抽出手段と、前記文字情報抽出手段により抽出された文字情報を前記データ変換サーバに送信する文字情報送信手段と、前記データ変換サーバから送信された画像を受信する画像受信手段と、前記画像受信手段により受信された受信画像と前記映像情報とを合成する合成手段と、を有し、
前記データ変換サーバは、前記文字情報送信手段から送信された文字情報を受信する文字情報受信手段と、前記文字情報受信手段により受信された文字情報を前記番組情報に対応する画像に変換する画像変換手段と、前記変換された画像を前記文字情報抽出／出力装置に送信する画像送信手段と、を有する
ことを特徴とする文字情報表示機能を備えた映像表示システム。
【請求項２】
請求項１において、
前記文字情報送信手段に前記データ変換サーバに送信する文字情報を圧縮する圧縮手段を設けるとともに前記画像受信手段に前記画像を解凍する解凍手段を設け、
前記文字情報受信手段に前記文字情報を解凍する解凍手段を設けるとともに前記画像送信手段に前記画像を圧縮する圧縮手段を設ける
ことを特徴とする文字情報表示機能を備えた映像表示システム。
【請求項３】
請求項１又は２において、
前記文字情報抽出／出力装置は、前記番組情報から番組のジャンル情報を抽出するジャンル情報抽出手段を設け、前記文字情報送信手段は、前記抽出されたジャンル情報を前記文字情報に付加して文字情報とジャンル情報を送信し、
前記画像変換手段は、前記文字情報受信手段からの文字情報を画像に変換する際に、前記文字情報受信手段からの前記ジャンル情報に対応した画像に変換する
ことを特徴とする文字情報表示機能を備えた映像表示システム。
【請求項４】
請求項１又は２において、
前記文字情報抽出／出力装置は、表示させたい言語を選択する言語選択手段を設け、前記文字情報送信手段は、前記選択された言語情報を前記文字情報に付加して文字情報と言語情報を送信し、
前記画像変換手段は、前記文字情報受信手段からの文字情報を画像に変換する際に、前記文字情報受信手段からの前記言語情報にしたがって前記文字情報を翻訳し画像変換する
ことを特徴とする文字情報表示機能を備えた映像表示システム。
【発明の詳細な説明】
【技術分野】
【０００１】
本発明は、映像情報、音声情報、文字情報、番組情報が重畳されたＡＶコンテンツを処理し、それらをユーザに提示することができる文字情報表示機能を備えた映像表示システムに関する。
【背景技術】
【０００２】
従来、テレビ放送を視聴する際、音声による情報を文字情報として映像と重畳し、画面に映し出す文字情報表示装置がある。アナログテレビ放送やデジタルテレビ放送における字幕放送は、放送局から送出される字幕データを文字情報表示装置またはデジタルテレビ放送受信機で受信し、映像と重畳して画面に映し出される。しかし、映像と重畳して表示される一般的な字幕は、文字情報表示装置またはデジタルテレビ放送受信機で受信した字幕データをそのまま画面に映し出すので、テレビ放送のジャンルに関わらず字幕の表示形態が同一であり、テレビ放送の映像と表示される字幕に統一感がないので、字幕放送視聴時に違和感がある。
【０００３】
このような番組視聴時の映像と字幕との違和感を解決した技術が、例えば、特許文献１に提案されている。この特許文献１の装置は、字幕放送視聴時にジャンル別に文字フォントまたは表示色を変えて画面に映し出すものである。また、メモリに文字フォントまたは表示色をダウンロードし、ジャンル別に文字フォントまたは表示色を変えて画面に映し出すというものである。
【特許文献１】特開２００２−２７１７１２号公報
【発明の開示】
【発明が解決しようとする課題】
【０００４】
しかしながら、特許文献１を含めた従来の文字情報表示装置は、あらかじめ文字情報表示装置に搭載、あるいはメモリにダウンロードした文字フォントまたは表示色を用いて文字情報を描画し、画面に映し出すため、その文字情報表示装置が保持している文字フォントに登録されている文字や記号を文字フォントの種別に応じた形状でしか表示することができず、文字表現力に限界があるという課題があった。
【０００５】
また、従来の文字情報表示装置は元の文字情報をそのまま描画し、画面に映し出すだけなので、例えば、日本語の字幕しか付加されていないＡＶコンテンツを日本語が分からない外国人が視聴するような場合、理解できないというような課題があった。
【０００６】
そこで、本発明の課題は、受信したＡＶコンテンツから文字情報を抽出し映像に相応しい文字情報に変換して映像と重畳して画面に映し出し、臨場感あふれるＡＶコンテンツ視聴や文字情報の適宜の翻訳による便利なＡＶコンテンツ視聴が可能となる文字情報表示機能を有する映像表示システムを提供することにある。
【課題を解決するための手段】
【０００７】
前記課題を解決するために、本発明は主として次のような構成を採用する。  
映像情報、音声情報、文字情報、番組情報を含むＡＶコンテンツを処理し、前記文字情報を表示できる映像表示システムにおいて、
前記ＡＶコンテンツから各種情報を抽出、処理して画像出力と音声出力を行う文字情報抽出／出力装置と、前記文字情報抽出／出力装置で抽出された文字情報に画像変換処理を行うデータ変換サーバと、を備え、
前記文字情報抽出／出力装置は、前記ＡＶコンテンツから文字情報を抽出する文字情報抽出手段と、前記文字情報抽出手段により抽出された文字情報を前記データ変換サーバに送信する文字情報送信手段と、前記データ変換サーバから送信された画像を受信する画像受信手段と、前記画像受信手段により受信された受信画像と前記映像情報とを合成する合成手段と、を有し、
前記データ変換サーバは、前記文字情報送信手段から送信された文字情報を受信する文字情報受信手段と、前記文字情報受信手段により受信された文字情報を前記番組情報に対応する画像に変換する画像変換手段と、前記変換された画像を前記文字情報抽出／出力装置に送信する画像送信手段と、を有する構成とする。
【０００８】
また、前記映像表示システムにおいて、前記文字情報抽出／出力装置は、前記番組情報から番組のジャンル情報を抽出するジャンル情報抽出手段を設け、前記文字情報送信手段は、前記抽出されたジャンル情報を前記文字情報に付加して文字情報とジャンル情報を送信し、
前記画像変換手段は、前記文字情報受信手段からの文字情報を画像に変換する際に、前記文字情報受信手段からの前記ジャンル情報に対応した画像に変換する構成とする。
【０００９】
また、前記映像表示システムにおいて、前記文字情報抽出／出力装置は、表示させたい言語を選択する言語選択手段を設け、前記文字情報送信手段は、前記選択された言語情報を前記文字情報に付加して文字情報と言語情報を送信し、
前記画像変換手段は、前記文字情報受信手段からの文字情報を画像に変換する際に、前記文字情報受信手段からの前記言語情報にしたがって前記文字情報を翻訳し画像変換する構成とする。
【発明の効果】
【００１０】
本発明によると、文字情報をデータ変換サーバに送信し、データ変換サーバでジャンル別に文字情報を画像変換し、文字情報抽出／表示（出力）装置に送信し、画像を映像と重畳して画面上に映し出すことによって、文字情報を自由に画像変換することができるので、文字表現力が豊かになる。
【００１１】
また、文字情報または画像を送信する際、圧縮することと、それらを受信する際、圧縮されたデータを解凍することによってデータ通信に負担を軽減することができる。
【００１２】
また、データ変換サーバで文字情報をジャンル情報に応じて画像変換するので、文字情報抽出／表示（出力）装置から映像と重畳して画面に映し出される文字情報は、ＡＶコンテンツのジャンルに最も適合する画像を用いた文字情報を表示することができるので、臨場感のあるＡＶコンテンツ視聴ができるようになる。
【００１３】
また、言語を他言語に翻訳し、画像変換することによって、言語の問題で文字情報の意味が分からなかった人でも、他言語対応の文字情報付きＡＶコンテンツを楽しむことができる。
【発明を実施するための最良の形態】
【００１４】
本発明の実施形態に係る文字情報表示機構を備えた映像表示システムについて、図１〜図３を参照しながら以下詳細に説明する。本発明はＡＶ機器（デジタルテレビ放送受信装置やビデオ／ＤＶＤデッキ）、ＰＤＡ（Ｐａｒｓｏｎａｌ  Ｄｉｇｉｔａｌ  Ａｓｓｉｓｔａｔ）、携帯電話機等、モニタ画面に文字情報を表示可能なもの全てに適用することが可能である。
【００１５】
図１は本発明の実施形態に係る文字情報表示機能を備えた映像表示システムの一例であるデジタルテレビ放送受信装置の構成例を示すブロック図である。放送局から送信される放送波は、文字情報表示機能を備えた映像表示システムの文字情報抽出／表示装置（文字情報抽出／出力装置）１０の放送受信アンテナ１１を通して、チューナー１２で受信される。受信された放送波には、テレビ放送に関する映像信号、音声信号、番組情報や文字情報が含まれている。それらの信号や情報は、デマルチプレクサ１３で、多重化した信号や情報をそれぞれの信号や情報に分離される。
【００１６】
デマルチプレクサ１３で分離された映像信号、音声信号は、それぞれ映像信号処理部２６、音声信号処理部１４で処理される。映像信号処理部２６で処理された映像信号は映像信号処理部で処理し映像／ＯＳＤ信号合成部２４を経てＴＶ画面表示部２５に出力される。音声信号処理部１４で処理された音声信号は音声出力１６に出力される。また、番組情報は、番組情報取得部１５に入力される。文字情報は文字（字幕）情報取得部１７へ入力される。
【００１７】
まず、本発明の実施形態に係る文字情報表示機能を備えた映像表示システムに関する大略構成について説明する。デマルチプレクサ１３により文字情報取得部１７に入力された文字情報は、文字情報抽出部１８で抽出される。文字情報抽出部２１で抽出された文字情報はデータ変換サーバ１００に送信するために文字情報を文字情報送信部２２に格納される。文字情報送信部２２は文字情報を、例えば、コンピュータの世界でよく利用されているＬＺＨ形式やＺＩＰ形式のようなアルゴリズムで圧縮し、データ変換サーバ１００に送信する。文字情報を圧縮する方法は本実施形態の実現のための一例であり、これらに限定するものではない。必要に応じて圧縮方法を変更したりしても構わない。
【００１８】
文字情報抽出／表示（出力）装置１０から送信された文字情報はデータ変換サーバ１００にある文字情報受信部１０１に受信される。文字情報受信部１０１は、圧縮された文字情報を解凍する。文字情報受信部１０１で解凍された文字情報は、文字情報管理部１０２に格納される。文字情報管理部１０２はジャンル情報や言語情報など文字情報に付加されている付加情報を判別する。文字情報に付加されている付加情報の判別に関する詳細は後述する。文字情報管理部１０２で判別された文字情報に付加されているジャンル情報や言語情報など付加情報は、その付加情報に相応しい画像に変換するように画像変換部１０３に依頼する。
【００１９】
画像変換部１０３は、文字情報を文字情報に付加されている付加情報に相応しい画像に変換する。文字情報を画像変換する動作に関する詳細は後述する。画像変換部１０３で変換された画像は、文字情報抽出／表示（出力）装置１０に送信するために画像送信部１０４に格納される。画像送信部１０４は、画像を圧縮し、文字情報抽出／表示（出力）装置１０に送信する。
【００２０】
データ変換サーバ１００から送信された圧縮された画像は文字情報抽出／表示（出力）装置１０の画像受信部２１に受信される。画像受信部２１は、圧縮された画像を解凍する。画像受信部２１で解凍された画像は、ＯＳＤ表示部２２を経て映像／ＯＳＤ信号合成部２４で映像を重畳してＴＶ画面表示部２５に出力される。
【００２１】
次に、本発明の実施形態に係る文字情報表示機能を備えた映像表示システムに関する構成例並びに動作例について、図１と図２を用いて説明する。
【００２２】
文字情報抽出／表示（出力）装置１０でデマルチプレクサ１３により入力された番組情報は、番組情報取得部１５で取得される。ジャンル情報抽出部２３は番組情報取得部１５で取得された番組情報の内、ジャンル判別に使用できるジャンル情報を抽出する。ジャンル情報抽出部２３で抽出されたジャンル情報は、文字情報とともにデータ変換サーバ１００に送信するために、ジャンル情報を文字情報送信部１９に渡される。文字情報送信部１９は、ジャンル情報と文字情報を圧縮し、データ変換サーバ１００に送信する。
【００２３】
データ変換サーバ１００で上述した文字情報をジャンル情報に応じて画像変換し、文字情報抽出／表示（出力）装置１０へ送信する。データ変換サーバ１００の動作について図２を参照して具体的に説明する。図２は本実施形態に係る映像表示システムに関するデータ変換サーバで文字情報をジャンル情報に応じて画像変換し、文字情報抽出／表示（出力）装置１０へ送信する動作例を示すフローチャートである。
【００２４】
まず、文字情報抽出／表示（出力）装置１０から送信されたジャンル情報と文字情報は、文字情報受信部１０１で受信される（ステップ２００１）。文字情報受信部１０１は、圧縮された文字情報とジャンル情報を解凍し、文字情報管理部１０２に入力する。文字情報管理部１０２は、文字情報に付加されている付加情報がジャンル情報であると判断したら、文字情報に付加されているジャンル情報を判別する（ステップ２００２）。また、文字情報管理部１０２は、文字情報管理部１０２で判別されたジャンル情報に応じて画像変換をするように画像変換部１０３に依頼する。
【００２５】
画像変換部１０３は、文字情報管理部１０２で判別されたジャンル情報から文字フォントを選択し、文字情報をジャンル情報に相応しい文字フォントに変換し、画像変換を行う。例えば、ジャンル情報が時代劇と判別されたら（ステップ２００３）、文字情報管理部１０２は文字情報を時代劇というジャンル情報に相応しい画像変換するように画像変換部１０３に依頼する。画像変換部１０３は、時代劇というジャンル情報から昔の雰囲気を感じさせるような時代劇に相応しい文字フォントを選択する。そして、文字情報を時代劇に相応しい文字フォントに変換し、ビットマップ化するなど、画像ファイル形式で画像変換する（ステップ２００６）。
【００２６】
一方、ジャンル情報がホラーと判別されたら（ステップ２００４）、文字情報管理部１０２は文字情報をホラーというジャンル情報に相応しい画像に変換するように画像変換部１０３に依頼する。画像変換部１０３は、ホラーというジャンル情報から視聴者に恐怖を引き立てられるような文字フォントを選択する。そして、文字情報をホラーに相応しい文字フォントに変換し、ビットマップ化するなど、画像ファイル形式で画像変換を行う（ステップ２００７）。
【００２７】
もう一方、ジャンル情報がＳＦ（Ｓｃｉｅｎｃｅ  Ｆｉｃｔｉｏｎ）と判別されたら（ステップ２００５）、文字情報管理部１０２は文字情報をＳＦというジャンル情報に相応しい画像変換するように画像変換部１０３に依頼する。画像変換部１０３は、ＳＦというジャンル情報から視聴者を不思議な空間に引き込まれるような文字フォントを選択する。そして、文字情報をＳＦに相応しい文字フォントに変換し、ビットマップ化するなど、画像ファイル形式で画像変換を行う（ステップ２００８）。
【００２８】
上述したジャンル情報や画像変換方法は本実施形態の実現のための一構成例であり、これらに限定するものではない。必要に応じてジャンル情報項目や画像変換方法を増やしたり減らしたりしても構わない。画像変換部１０３でジャンル情報に応じて変換された画像は、画像送信部１０４に格納される。画像送信部１０４は、画像を圧縮し（ステップ２００９）、文字情報抽出／表示（出力）装置１０へ送信する（ステップ２０１０）。このように、本実施形態に係る文字情報表示機能を備えた映像表示システムは、データ変換サーバで文字情報をジャンル情報に応じて画像変換するので、文字情報抽出／表示（出力）装置１０から映像と重畳して映し出される文字情報は、番組のジャンルに最も適合する画像を用いた文字情報を表示することができる。
【００２９】
次に、本発明の実施形態に係る文字情報表示機能を備えた映像表示システムに関する他の構成例並びに他の動作例について、図１と図３を参照しながら以下説明する。ユーザがリモコンや文字情報抽出／表示（出力）装置１０についているボタンなどを用いて、文字情報抽出／表示（出力）装置１０の言語選択部２０で、ＴＶ画面表示部２５に表示したい言語を選択する。言語選択部２０で選択された言語情報は、文字情報とデータ変換サーバ１００に送信するために言語情報を文字情報送信部１９に渡される。文字情報送信部１９は、言語情報と文字情報を圧縮し、データ変換サーバ１００に送信する。データ変換サーバ１００で上述した文字情報を言語情報に応じて文字情報を翻訳して画像変換し、文字情報抽出／表示（出力）装置１０へ送信する。
【００３０】
データ変換サーバ１００の動作について、図３を参照して具体的に説明する。図３は本実施形態に係る映像表示システムに関するデータ変換サーバで文字情報を言語情報に応じて文字情報を翻訳して画像変換し、文字情報抽出／表示（出力）装置へ送信する他の動作例を示すフローチャートである。
【００３１】
まず、文字情報抽出／表示（出力）装置１０から送信された言語情報と文字情報は、データ変換サーバ１００の文字情報受信部１０１で受信される（ステップ３００１）。文字情報受信部１０１は、受信された文字情報と言語情報を文字情報管理１０２に入力する。文字情報管理部１０２は、文字情報に付加されている付加情報が言語情報であると判断したら、文字情報に付加されている言語情報を判別する（ステップ３００２）。
【００３２】
また、文字情報管理部１０２は、言語情報を判別した後、文字情報を判別した言語情報に翻訳して画像変換するよう画像変換部１０３に依頼する。画像変換部１０３は、文字情報を文字情報管理部１０２で判別された言語情報に翻訳し、画像変換を行う。例えば、言語情報が英語と判別されたら（ステップ３００３）、文字情報管理部１０２は、画像変換部１０３に文字情報を英語に翻訳し、画像変換するように依頼する。画像変換部１０３は、文字情報を英語に翻訳し、英語に翻訳した文字情報をビットマップ化にするなど、画像ファイル形式で作成する（ステップ３００６）。
【００３３】
一方、言語情報が中国語と判別されたら（ステップ３００４）、文字情報管理部１０２は、画像変換部１０３に文字情報を中国語に翻訳し、画像変換するように依頼する。画像変換部１０３は、文字情報を中国語に翻訳し、中国語に翻訳した文字情報をビットマップ化にするなど、画像ファイル形式で作成する（ステップ３００７）。もう一方、言語情報がフィンランド語と判断されたら（ステップ３００５）、文字情報管理部１０２は、画像変換部１０３に文字情報をフィンランド語に翻訳し、画像変換するように依頼する。画像変換部１０３は、文字情報をフィンランド語に翻訳し、フィンランド語に翻訳した文字情報をビットマップ化にするなど画像ファイル形式で作成する（ステップ３００８）。これらの言語情報や画像変換方法は本実施形態の実現のための一例であり、これらに限定するものではない。必要に応じてジャンル情報項目や画像変換方法を増やしたり減らしたりしても構わない。
【００３４】
画像変換部１０３で言語情報に応じて文字情報を翻訳し、変換された画像は、文字情報抽出／表示（出力）装置１０へ送信するために画像送信部１０４に格納される。画像送信部１０４は、画像を圧縮し（ステップ３００９）、文字情報抽出／表示（出力）装置へ送信する（ステップ３０１０）。このように、本実施形態に係る文字情報表示機能を備えた映像表示システムは、データ変換サーバで文字情報を言語情報に応じて翻訳し、画像変換するので、文字情報抽出／表示（出力）装置１０から映像と重畳して映し出される文字情報は、選択した言語に最も適合する画像を用いた文字情報を表示することができる。
【００３５】
以上説明したように、本発明の特徴を概説すると、文字情報抽出／表示（出力）装置とデータ変換サーバとから構成され、文字情報抽出／表示（出力）装置で抽出された文字情報をデータ変換サーバへ送信し、データ変換サーバで文字情報に対応する画像に変換し、この変換された画像を文字情報抽出／表示（出力）装置に送信し、映像と変換画像を重畳して画面に映し出すことによって、臨場感あふれるＡＶコンテンツ視聴や文字情報の適宜の翻訳による便利なＡＶコンテンツ視聴が可能となる文字情報表示機能を備えた映像表示システムである。
【００３６】
さらに詳しく述べると、本発明の実施形態に係る文字情報表示機能を備えた映像表示システムは、映像情報、音声情報、文字情報が重畳されたＡＶコンテンツを処理し、それらの情報をユーザに提示する機能を有する文字情報表示機能を備えた映像表示システムにおいて、前記ＡＶコンテンツから文字情報を抽出する抽出手段、前記文字情報抽出手段により抽出された文字情報をデータ変換サーバに送信する送信手段、データ変換サーバから送信された画像を受信する受信手段、前記受信手段により受信された画像を映像情報と重ねてユーザに提示する提示手段、を備えた文字情報抽出／表示（出力）装置と、文字情報抽出／表示（出力）装置から送信された文字情報を受信する受信手段、前記受信手段により受信された文字情報を文字情報に対応する画像に変換する変換手段、変換された画像を文字情報抽出／表示（出力）装置に送信する送信手段、を備えたデータ変換サーバと、から構成されることを特徴とする。
【００３７】
また、前記文字情報表示機能を備えた映像表示システムは、前記文字情報抽出／表示（出力）装置に、データ変換サーバに送信する送信手段に文字情報を圧縮する圧縮手段と、データ変換サーバから送信された画像を受信する受信手段に画像を解凍する解凍手段とを設け、かつ、前記データ変換サーバに、文字情報を受信する受信手段に文字情報を解凍する解凍手段と、変換された画像を送信する送信手段に画像を圧縮する圧縮手段とを設けたことを特徴とする。
【００３８】
また、前記文字情報表示機能を備えた映像表示システムは、前記文字情報抽出／表示（出力）装置に、ジャンル情報を有する前記ＡＶコンテンツからジャンル情報を抽出する抽出手段と、文字情報をサーバに送信する送信手段にジャンル情報と文字情報をサーバに送信する送信手段とを設け、前記データ変換サーバに、ジャンル情報と文字情報を受信する受信手段と、受信した文字情報を画像に変換する際に受信したジャンル情報に応じて画像変換する画像変換手段とを設けたことを特徴とする。
【００３９】
また、前記文字情報表示機能を備えた映像表示システムは、前記文字情報抽出／表示（出力）装置に、ユーザが言語を選択する選択手段と、前記言語選択手段により選択された言語情報と文字情報を送信する送信手段とを設け、前記データ変換サーバに、文字情報と言語情報を受信する受信手段と、受信した文字情報を画像に変換する際に文字情報を選択された言語情報に従って翻訳し、画像変換する画像変換手段とを設けたことを特徴とする。
【００４０】
上述したような特徴を備えた文字情報表示機能を備えた映像表示システムによって、文字情報を有するＡＶコンテンツにおいて、文字フォントまたは表示色をダウンロードするものと比較すると、画像変換の方が、絵文字などを逐次自由に挿入することができるなど文字各々の形を自由に変換することができるので、文字表現力が増し、臨場感のある文字情報を有するＡＶコンテンツ視聴ができるようになる。また、言語を翻訳し画像変換することによって、文字情報を選択された言語で翻訳し、映像と重畳して画面に映し出すので、言語の問題で文字情報の意味がわからなかった人でも文字情報を有するＡＶコンテンツ視聴を楽しむことができるようになる。
【図面の簡単な説明】
【００４１】
【図１】本発明の実施形態に係る文字情報表示機能を備えた映像表示システムの一例であるデジタルテレビ放送受信装置の構成例を示すブロック図である。
【図２】本実施形態に係る映像表示システムに関するデータ変換サーバで文字情報をジャンル情報に応じて画像変換し、文字情報抽出／表示（出力）装置へ送信する動作例を示すフローチャートである。
【図３】本実施形態に係る映像表示システムに関するデータ変換サーバで文字情報を言語情報に応じて文字情報を翻訳して画像変換し、文字情報抽出／表示（出力）装置へ送信する他の動作例を示すフローチャートである。
【符号の説明】
【００４２】
１０  文字情報抽出／表示（出力）装置
１１  アンテナ
１２  チューナー
１３  デマルチプレクサ
１４  音声信号処理部
１５  番組情報取得部
１６  音声出力
１７  文字情報取得部
１８  文字情報抽出部
１９  文字情報送信部
２０  言語選択部
２１  画像受信部
２２  ＯＳＤ表示部
２３  ジャンル情報抽出部
２４  映像／ＯＳＤ信号合成部
２５  ＴＶ画面表示部
２６  映像信号処理部
１００  データ変換サーバ
１０１  文字情報受信部
１０２  文字情報管理部
１０３  画像変換部
１０４  画像送信部
【図１】
2006211120.tif 000003
【図２】
2006211120.tif 000004
【図３】
2006211120.tif 000005